(57)【要約】挟持部の開放がより確実にされるようにし、開放時の操作性を向上させた留め具を提供することを目的とする。  挟持部は基部１と嵌入部２とからなる。基部１にボタンアーム１１とリリースボタン１２と上部爪受け１３を形成する。嵌入部２にスライド部２１と係止部２２と係止爪２３を形成する。ボタンアーム１１の上端内側に突起１５を形成する。リリースボタン１２を押し込むと、突起１５が外側傾斜面２５に当たって、ボタンアーム１１とスライド部２１との間に空間５が一時的に形成される。
2011152545.tif 000002
【特許請求の範囲】
【請求項１】
伸縮する挟持部と、前記挟持部に挟持されるストッパーとからなり、前記挟持部が基部とスライド部とからなり、前記基部の外壁を押し込むことにより前記スライド部を撓ませ、前記スライド部が撓みを復元させようと、前記外壁に沿ってスライドするように設けた留め具であって、前記外壁を押し込むことにより、前記挟持部の開放開始時には前記外壁と前記スライド部との間に間隙が形成されるように設けたことを特徴とする留め具。
【発明の詳細な説明】
【技術分野】
【０００１】
本発明は、主に布などのシート状のものに係止するための留め具であって、そのシート状物に穴を開けずに、またはシート状物に縫い付けたボタンなどを利用して留めることができる留め具に関する。
【背景技術】
【０００２】
服の生地などのシート状物に名札などを係止するためには、安全ピンや虫ピンなどといった針を刺して留める方法と、クリップ状のものでポケットなどの端部を挟んで留める方法とがある。針を刺す方法では、きじを傷める結果となり、端部を挟む方法では、止める位置が限られるだけでなく、引っ張れば外れてしまう。
このような問題を解決し、針を刺すことなく洋服に名札などを取り付け、しかも簡単に外れないものとして、本発明者は、先の出願（特願２００９−５１４０３５）で「留め具」を提案している。これは「外れにくく、着脱が容易」という性能を実現せしめた実用的なものであった。また、この提案の留め具では生地を強くはさまない構造であることから、生地を痛めないという利点も有している。
この発明においては、伸縮する挟持部をその挟持幅以上に広がらないように係止する手段を設け、挟持部に挟持されるストッパーとで留める物で、特に、挟持部を開放する方向へはじき出そうとする弾性手段を設けたことが特徴的である。これにより外す際の操作性が格段に良くなった。
その主な構成は先の出願の図１１から図１４において示され、その明細書中において、その詳細を説明しているので、その内容を参照するものとし、概略な動作説明としては本出願の第５図に示すように、挟持部を開放するためにリリースボタン５２を両側から押し込むと、スライド部６１上部を撓ませる。そのまま押し込んで、係止爪６３の底面が上部爪受け５３の上端面から外れた時点で、スライド部６１外側面とボタンアーム５１内側面がハの字状となっていることから、自身の復元力も手伝ってスライド部６１はボタンアーム５１内側面に沿って滑り降りようとし、嵌入部６全体を押し下げようとする力が働く。これにより一気に挟持部は開放される。
本発明では、この先に提案した発明をさらに発展させ、挟持部の開放がより確実にされるようにし、開放時の操作性を向上させた留め具を提供することを目的とする。
【発明の開示】
【０００３】
上記目的を達成するため本発明は、伸縮する挟持部と、前記挟持部に挟持されるストッパーとからなり、前記挟持部が基部とスライド部とからなり、前記基部の外壁を押し込むことにより前記スライド部を撓ませ、前記スライド部が撓みを復元させようと、前記外壁に沿ってスライドするように設けた留め具であって、前記外壁を押し込むことにより、前記挟持部の開放開始時には前記外壁と前記スライド部との間に間隙が形成されるように設けた。
これにより、開放開始時においてはスライド部と基部との摩擦を最小にすることができ、スライド部の復元力が最大限に開放方向へ移動するために使われ、その分勢いよく挟持部が開放されることになる。
本発明の留め具は、その基本構成が上述した先の提案の留め具とほぼ同様であって、挟持部が基部とスライド部からり、基部内に沿ってスライド部がスライドしながら弾き出されて挟持部を開放する構造である。以下、先の提案の留め具との差異について、本発明の実施の形態について添付した図面に基づき説明する。ここで第１図は挟持部の全体構造を示す断面図、第２図は挟持部を開放した状態を説明する模式的な一部切り欠き斜視図、第３図は挟持部の動作を説明するための部分拡大図、第４図は第１図のＡ−Ａ方向に見た部分の断面図、第５図は先の提案を簡単に説明するための断面図である。
上述したように留め具としての基本構成は先の提案を参照とするもののとし、本実施形態としての挟持部は、第１図から第３図の各図に示すように、基部１と、これに嵌入して係止される嵌入部２とからなり、基部１両側部にはリリースボタン１２が形成されており、その下部は可撓性のあるボタンアーム１１となっている。基部１の内部上方の両側付近には嵌入部２を係止するための上部爪受け１３がそれぞれ形成されている。尚、第２図のＣは、内部構造を見るために便宜上設けた仮想の切り欠き線である。
嵌入部２の両側面には可撓性のあるスライド部２１が形成され、その先端には係止部２２が形成され、その下端が両側に張り出した部分が係止爪２３となり、基部１の上部爪受け１３に係止される。
ボタンアーム１１の上端内側には突起１５が形成され、その先端が係止部２２の外側傾斜面２５に接触するように設けられている。この突起１５の上端部は円弧状に形成されており、後述する係止部２２を押し下げる際には、外側傾斜面２５との接触面は、ほぼ点接触となるように設けられている。
次に、挟持部の開放動作について説明する。
第３図（ａ）に示す係止爪２３が上部爪受け１３に係止された状態から、第３図（ｂ）に示すように、係止爪２３が上部爪受け１３にから外れるようにリリースボタン１２を両側から押し込む。この際、突起１５が外側傾斜面２５に点接触で内側に押し込まれて、それによりスライド部２１は徐々に撓むが、押し込まれるにしたがって、ボタンアーム１１とスライド部２１との間に空間５が一時的に形成される。
そのまま撓んで、第３図（ｂ）に示すように、係止爪２３の底面が上部爪受け１３の上端面から外れた時点で、空間５は最大となり、スライド部２１は、自身の復元力により外側傾斜面２５の傾斜角度に沿って下方へ移動しようとするため、その力は空間５の存在により抵抗が最小になり、スライド部２１の初動速度が大きくなる。さらに、突起１５の先端と外側傾斜面２５とは点接触であることから、互いの摩擦抵抗は最低限になることから、下方へ移動しようとする力は開放するために最大に使われる。
その後、スライド部２１の移動により、突起１５が外側傾斜面２５から離れることにより、スライド部２１はボタンアーム１１に当接するが、先の提案では面当接していたが、本実施例では第４図に示すように、スライド部２１は断面が円弧状となっているため、ボタンアーム１１とは線当接となるため、摩擦抵抗がその分低減され、スライドダウンがよりスムーズになる。
尚、本発明は以上のような実施形態に限定されるものではない。本発明の特許請求の範囲に記載した事項と実質的に同一の構成を有し、同一の作用効果を奏するものは本発明の技術的範囲に属する。
【産業上の利用可能性】
【０００４】
本発明の留め具の構造は、既存する安全ピンやクリップタイプの留め具に替る物として、広範多岐な分野での製品に摘要できる留め具とすることが出来る。
【図面の簡単な説明】
【０００５】
【図１】
2011152545.tif 000003
【図２】
2011152545.tif 000004
【図３】
2011152545.tif 000005
【図４】
2011152545.tif 000006
【図５】
2011152545.tif 000007
【国際調査報告】
2011152545.tif 000008
2011152545.tif 000009